(57)【要約】      （修正有）【課題】建物の躯体に対して適切な位置で確実に固定される枠体延長部材により、アングルから壁までの見込方向の隙間を埋めることできる建具を提供する。【解決手段】建具１は、建物１００の躯体２の開口部３に設けられる上枠、下枠及び縦枠１３と、上枠、下枠及び縦枠１３それぞれの室内側に設けられるアングル部６３と、アングル部６３それぞれの室内側に配置される上アタッチメント、下アタッチメント及び縦アタッチメント７３と、を備える。上アタッチメント、下アタッチメント及び縦アタッチメント７３は、それぞれのアングル部６３から室内側に延びる見込面７１１と、アングル部６３に固定される室外側固定部７２０と、ネジ（締結部材）８０により躯体２に締結固定される室内側脚部（室内側固定部）７４０と、を有する。【選択図】図２
2018159248.tif 000002
【特許請求の範囲】
【請求項１】
建物の躯体の開口部に設けられる枠体と、
前記枠体の室内側に設けられるアングル部と、
前記アングル部の室内側に配置される枠体延長部材と、を備え、
前記枠体延長部材は、
前記アングル部から室内側に延びる見込面と、
前記アングル部に固定される室外側固定部と、
締結部材により前記躯体に締結固定される室内側固定部と、を有する建具。
【請求項２】
前記枠体延長部材として、前記枠体のうち縦方向に延びる縦枠の前記アングル部に固定される縦方向に延びる縦枠延長部材と、
前記枠体延長部材として、前記枠体のうち横方向に延びる横枠の前記アングル部に固定される横方向に延びる横枠延長部材と、を備え、
前記縦枠延長部材と前記横枠延長部材が連結用締結部材により締結固定される請求項１に記載の建具。
【請求項３】
前記枠体延長部材は、樹脂製であり、内部に中空部を有する請求項１又は２に記載の建具。
【発明の詳細な説明】
【技術分野】
【０００１】
本発明は、建物の躯体の開口部に設けられる建具に関する。
【背景技術】
【０００２】
従来、建物の開口部に設けられる枠体の室内側縁部にアングルを設け、アングルに額縁を固定する構造が知られている。この種の技術を開示するものとして例えば特許文献１がある。特許文献１には、枠とアングルとアングル補助材を備え、アングル補助材は、枠の室内側に配置してあり、アングルは、アングル補助材の内周側端部に取付けてあり、アングル補助材は、外周側にアングルの室内側縁部よりも室内側に延出する延出部を有し、延出部を躯体に固定する構造の建具について記載されている。
【先行技術文献】
【特許文献】
【０００３】
【特許文献１】特開２０１６−２１１２５５号公報
【発明の概要】
【発明が解決しようとする課題】
【０００４】
特許文献１に示されるような従来技術では、アングルから壁（内装材表面）までを額縁で塞いでいるため、アングルから壁までの距離に応じた見込面を有する額縁を用意する必要がある。この種の額縁は、その室外側が締結部材等によってアングルに機械的に固定されているが、室内側は接着や内装材への嵌め込み等で固定されることが多く、アングルから壁までの距離が大きくなって見込面が長くなれば額縁の室内側が躯体に対して適切な位置で保持されないおそれがある。
【０００５】
本発明は、建物の躯体に対して適切な位置で確実に固定される枠体延長部材により、アングルから壁までの見込方向の隙間を埋めることできる建具を提供することを目的とする。
【課題を解決するための手段】
【０００６】
本発明は、建物（例えば、後述の建物１００）の躯体（例えば、後述の躯体２）の開口部（例えば、後述の開口部３）に設けられる枠体（例えば、後述の上枠１１、下枠１２、縦枠１３）と、前記枠体の室内側に設けられるアングル部（例えば、後述のアングル部６１，６２，６３）と、前記アングル部の室内側に配置される枠体延長部材（上アタッチメント７１、下アタッチメント７２、縦アタッチメント７３）と、を備え、前記枠体延長部材は、前記アングル部から室内側に延びる見込面（例えば、後述の見込面７１１）と、前記アングル部に固定される室外側固定部（例えば、後述の室外側固定部７２０）と、締結部材（例えば、後述のネジ８０）により前記躯体に締結固定される室内側固定部(例えば、後述の室内側脚部７４０)と、を有する建具（例えば、後述の建具１）に関する。
【０００７】
前記建具は、前記枠体延長部材として、前記枠体のうち縦方向に延びる縦枠（例えば、後述の縦枠１３）の前記アングル部（例えば、後述のアングル部６３）に固定される縦方向に延びる縦枠延長部材（縦アタッチメント７３）と、前記枠体延長部材として、前記枠体のうち横方向に延びる横枠（例えば、後述の上枠１１、下枠１２）の前記アングル部（例えば、後述のアングル部６１，６２）に固定される横方向に延びる横枠延長部材（上アタッチメント７１、下アタッチメント７２）と、を備え、前記縦枠延長部材と前記横枠延長部材が連結用締結部材（例えば、後述のタッピングネジ９０）により締結固定されることが好ましい。
【０００８】
前記枠体延長部材は、樹脂製であり、内部に中空部を有することが好ましい。
【発明の効果】
【０００９】
本発明の建具によれば、建物の躯体に対して適切な位置で確実に固定される枠体延長部材により、アングルから壁までの見込方向の隙間を埋めることできる。
【図面の簡単な説明】
【００１０】
【図１】本発明の一実施形態に係る建具の縦断面図である。
【図２】本実施形態の建具の縦枠及び縦アタッチメントの周囲を示す拡大横断面図である。
【図３】本実施形態の建具の上アタッチメント及びその周囲を示す拡大縦断面図である。
【図４】本実施形態の建具の下アタッチメント及びその周囲を示す拡大縦断面図である。
【発明を実施するための形態】
【００１１】
以下、本発明の好ましい実施形態について、図面を参照しながら説明する。
【００１２】
図１は、本発明の一実施形態に係る建具１の縦断面図である。なお、本明細書において、「見付方向」とは、建物１００の壁に形成された開口部３に納められた建具１におけるガラス２００の面方向を意味し、「見込方向」とは、上記ガラス２００の厚さ方向（即ち、奥行き方向）を意味する。
【００１３】
まず、本発明が適用される建具１の全体構成について説明する。建具１は、建物１００の躯体２の開口部３に設けられる横辷り窓である。建具１は、開口部３に固定される枠体１０と、枠体１０に開閉可能に納められた障子１５と、を備える。
【００１４】
枠体１０は、上枠１１と、下枠１２と、左右一対の縦枠１３と、により矩形に枠組みされて形成される。
【００１５】
上枠１１は、室外側に設けられたアルミ等の金属からなる金属上枠１１１と、その室内側に設けられ且つ塩化ビニル樹脂等の樹脂からなる樹脂上枠１１２と、網材１１３を固定するための上網材固定部材１１４と、を含んで構成される。
【００１６】
金属上枠１１１は、樹脂上枠１１２を嵌合する嵌合部１１１ａと、室内側に延びてアングル部６１の一部を構成する金属側延出片１１１ｂと、を備える。また、金属上枠１１１は、室外側の端部に設けられるパッキン１１１ｃを更に備える。パッキン１１１ｃは、閉鎖位置の障子１５の後述する金属上框２１１に当接する。
【００１７】
樹脂上枠１１２は、下方に開口する嵌合凹部１１２ａと、室内側に延びてアングル部６１の一部を構成する樹脂側延出片１１２ｂと、複数の中空部１１２ｃと、を備える。また、樹脂上枠１１２は、嵌合凹部１１２ａの室外側の下端に設けられたパッキン１１２ｄを更に有する。このパッキン１１２ｄが後述する樹脂上框２１２に当接することで、樹脂上枠１１２の室外側に空気室１１２ｅが形成される。
【００１８】
上網材固定部材１１４は、樹脂上枠１１２の嵌合凹部１１２ａに嵌合された状態で網材１１３の端部を固定する。樹脂上枠１１２と上網材固定部材１１４の間には、閉鎖された空間１１５が形成される。
【００１９】
金属上枠１１１の金属側延出片１１１ｂと、樹脂上枠１１２の樹脂側延出片１１２ｂと、によってアングル部６１が形成される。アングル部６１は、上アタッチメント７１を嵌合可能な凹部として形成されている。金属側延出片１１１ｂは、室内側に延びた後、下側に屈曲し、再び室内側に延びる形状となっている。この金属側延出片１１１ｂの先端部が上アタッチメント７１の嵌合後に押さえとして機能する。なお、上アタッチメント７１の構成については後述する。
【００２０】
下枠１２は、金属下枠１２１と、樹脂下枠１２２と、下網材固定部材１２４と、含んで構成される。金属下枠１２１は、樹脂下枠１２２を嵌合する嵌合部１２１ａと、室内側に延びてアングル部６２の一部を構成する金属側延出片１２１ｂと、を備える。
【００２１】
樹脂下枠１２２は、上方に開口する嵌合凹部１２２ａと、室内側に延びてアングル部６２の一部を構成する樹脂側延出片１２２ｂと、を備える。また、樹脂下枠１２２は、嵌合凹部１２２ａの室外側の上端に設けられたパッキン１２２ｄを更に有する。このパッキン１２２ｄも後述する樹脂下框２２２に当接することで、樹脂下枠１２２の室外側に空気室１２２ｅが形成される。
【００２２】
下網材固定部材１２４は、樹脂下枠１２２の嵌合凹部１２２ａに嵌合された状態で網材１１３の端部を固定する。樹脂下枠１２２と下網材固定部材１２４の間にも、閉鎖された空間１２５が形成される。
【００２３】
金属側延出片１２１ｂと樹脂側延出片１２２ｂによって形成されるアングル部６２は、下アタッチメント７２を嵌合可能な凹部として形成されている。金属側延出片１２１ｂの先端部が下アタッチメント７２の嵌合後に押さえとして機能する。なお、下アタッチメント７２の構成については後述する。
【００２４】
図２は、本実施形態の建具１の縦枠１３、縦アタッチメント７３及びその周囲を示す拡大横断面図である。左右それぞれに配置される縦枠１３は同様の構成である。なお、図２では、左右両側に配置される縦枠１３のうち、室内側から見て右側の縦枠１３のみが図示されている。
【００２５】
図２に示すように、縦枠１３は、金属縦枠１３１と、樹脂縦枠１３２と、縦網材固定部材１３４と、含んで構成される。
【００２６】
金属縦枠１３１は、樹脂縦枠１３２を嵌合する嵌合部１３１ａと、室内側に延びてアングル部６３の一部を構成する金属側延出片１３１ｂと、を備える。
【００２７】
樹脂縦枠１３２は、その見込面で開口する嵌合凹部１３２ａと、室内側に延びてアングル部６３の一部を構成する樹脂側延出片１３２ｂと、複数の中空部１３２ｃと、を備える。また、樹脂縦枠１３２は、嵌合凹部１２２ａの室外側に設けられたパッキン１３２ｄを更に有する。このパッキン１３２ｄが後述する樹脂縦框２３２に当接することで、樹脂縦枠１３２の室外側に空気室１３２ｅが形成される。
【００２８】
縦網材固定部材１３４は、樹脂縦枠１３２の嵌合凹部１３２ａに嵌合された状態で網材１１３の端部を固定する。樹脂縦枠１３２と縦網材固定部材１３４の間には、閉鎖された空間１３５が形成される。
【００２９】
金属側延出片１３１ｂと樹脂側延出片１３２ｂによって形成されるアングル部６３は、縦アタッチメント７３を嵌合可能な凹部として形成されている。金属側延出片１３１ｂは、室内側に延びた後、見付方向で躯体２から離れる側に屈曲し、再び室内側に延びる形状となっている。この金属側延出片１３１ｂの先端部が縦アタッチメント７３の嵌合後に押さえとして機能する。なお、縦アタッチメント７３の構成については後述する。
【００３０】
次に、障子１５について説明する。障子１５は、上框２１と、下框２２と、左右一対の縦框２３と、により矩形に框組みされて形成された框体２０と、該框体２０内に嵌め込まれたガラス２００と、開閉機構４と、操作部５と、を備える（図１参照）。
【００３１】
上框２１は、室外側に配置されたアルミ等の金属からなる金属上框２１１と、その室内側に設けられ且つ塩化ビニル樹脂等の樹脂からなる樹脂上框２１２と、を含んで構成される。金属上框２１１は、室外側から立設する立設部２１１ａを有し、その先端の室内側が金属上枠１１１の室外側に設けられたパッキン１１１ｃに当接する。樹脂上框２１２は、中空部２１２ａを有する。
【００３２】
下框２２は、室外側に配置されたアルミ等の金属からなる金属下框２２１と、その室内側に設けられ且つ塩化ビニル樹脂等の樹脂からなる樹脂下框２２２と、を含んで構成される。同様に、左右一対の縦框２３は、室外側に配置されたアルミ等の金属からなる金属縦框２３１と、その室内側に設けられ且つ塩化ビニル樹脂等の樹脂からなる樹脂縦框２３２と、を含んで構成される。また、金属縦框２３１は、室外側から内側（障子側）に延出する横設部２３１ａを有する。金属縦框２３１は、横設部２３１ａの先端に配置され且つ金属縦枠１３１に当接するパッキン２３１ｂを有する。
【００３３】
ガラス２００は、室内側の板ガラス２０１と、室外側の板ガラス２０２と、これら２枚の板ガラスで挟持されたスペーサ２０３と、を備える複層ガラスである。上框２１、下框２２及び縦框２３は、何れも内側に開口するガラス保持溝２５を有する。ガラス２００は、その端部がガスケット２６を介してガラス保持溝２５に保持される。
【００３４】
開閉機構４は、障子１５を開閉させるための機構である。開閉機構４は、下枠１２の屋内側の上面に左右方向に延設される連動バー６と、下枠１２の上面に沿って左右方向に延設され、連動バー６が係合するレール５５と、開閉アーム機構７と、縦枠１３と縦框２３の間で両者を連結するリンク機構８と、を備える。
【００３５】
連動バー６は、操作部５から伝達される左右方向の駆動力によって、レール５５に沿って左右方向にスライド移動する。開閉アーム機構７は、連動バー６に回動可能に連結されており、連動バー６の移動に連動して障子１５を開放位置に移動可能に構成される。
【００３６】
リンク機構８は、ステー３１とアーム３２を含んで構成される（図２参照）。ステー３１は、上下方向に延びて設けられ、縦枠１３を構成する金属縦枠１３１の内側（障子側）の見込み面に取り付け固定される。アーム３３は、一端がステー３１に回動可能に支持され、他端が縦框２３に回動可能に支持される。なお、リンク機構８においても、図２に示したものだけではなく、室内側から見て左側にも同様のリンク機構８が配置される。
【００３７】
操作部５は、回転部材５１と、図示しない連動機構と、を含んで構成される。連動機構は、回転部材５１と連動バー６を連動させる機構である。操作部５は、操作者がチェーン等を介して回転部材５１を回転させることで生じた回転方向の駆動力を連動機構により直線方向の駆動力に変換する。変換された直線方向の駆動力は、連動バー６、開閉アーム機構７に伝達される。連動バー６の左右方向の移動に伴ってアーム３２が連動して縦枠１３及び縦框２３のそれぞれに対して回動することで、障子１５が開閉する。
【００３８】
次に、上アタッチメント７１、下アタッチメント７２及び左右一対の縦アタッチメント７３の構成について説明する。
【００３９】
図３は、本実施形態の建具の上アタッチメント７１及びその周囲を示す拡大縦断面図である。図３に示すように、上アタッチメント７１は、本体部７１０と、室外側固定部７２０と、室外側脚部７３０と、室内側脚部７４０と、額縁部７５０と、備える。
【００４０】
上アタッチメント７１は、樹脂成形により構成される樹脂部材であり、本体部７１０、室外側固定部７２０、室外側脚部７３０、室内側脚部７４０及び額縁部７５０が一体的な部材となっている。
【００４１】
本体部７１０は、枠体１０の長手方向に延びる長尺の板状に形成される。本体部７１０は、室内側から視認できる見込面７１１を有する。
【００４２】
本体部７１０の内側には中空部７１５が形成される。また、中空部７１５にはアタッチメント連結用のタッピングホール７１６が２箇所設けられる。タッピングホール７１６は、上アタッチメント７１（下アタッチメント７２、縦アタッチメント７３）の長手方向に連続して延びており、タッピングネジ９０を締結する孔が形成される。タッピングホール７１６により、中空部７１５は複数の空間に区画されており、タッピングホール７１６が上アタッチメント７１の断熱性能向上にも寄与している。
【００４３】
上アタッチメント７１及び縦アタッチメント７３の一方の裏側からタッピングネジ９０を他のタッピングホール７１６に合わせて締結することにより、上アタッチメント７１と縦アタッチメント７３が機械的に接合される。縦勝ちの場合は、縦アタッチメント７３の裏側からタッピングネジ９０を上アタッチメント７１のタッピングホール７１６に合う位置で締結する。横勝ちの場合は、上アタッチメント７１の裏側からタッピングネジ９０を縦アタッチメント７３のタッピングホール７１６に合う位置で締結する。
【００４４】
室外側固定部７２０は、本体部７１０から室外側に延び出るブロック状の部材であり、アングル部６１に嵌合固定される。
【００４５】
室外側脚部７３０は、平面視において本体部７１０の躯体２側に対向する背面７１２（見込面７１１の裏面）における室外側から見付方向の躯体２側に延び出ている。室外側脚部７３０は、その内側が中空部７１５に連通するホロー形状となっている。
【００４６】
室内側脚部７４０は、平面視において背面７１２における室内側から見付方向の躯体２側に延び出た後、室内側に傾斜する傾斜部７４１を有する形状となっている。傾斜部７４１は、締結部材としてのネジ８０を締結する締結片として機能する。ネジ８０は、傾斜部７４の傾斜に応じて見込方向に傾けた状態で躯体２側に締結される。
【００４７】
額縁部７５０は、平面視において本体部７１０から室外側に延びており、長手方向で連続する額縁部材である。額縁部７５０は、本体部７１０の見込面７１１とともに額縁を構成する。
【００４８】
上アタッチメント７１は、室外側固定部７２０がアングル部６１に嵌合固定されるとともに、室内側脚部７４０がネジ８０により躯体２側に締結固定されることにより、上枠１１及び躯体２に固定される。本実施形態では、上アタッチメント７１と躯体２の見込面２５０の間にはスペーサ部材２６１が配置されている。室外側固定部７２０及び室内側脚部７４０の先端面がスペーサ部材２６１に接触した状態となっている。また、ネジ８０は、室内側脚部７４０及びスペーサ部材２６１を貫通して躯体２の開口部３の見込面２５０に締結されており、その締結方向が見込方向に対して傾いた状態となっている。
【００４９】
上アタッチメント７１がアングル部６１に固定された状態では上枠１１（樹脂上枠１１２）と連続する面（意匠）となっている。
【００５０】
図４は、本実施形態の建具の下アタッチメント７２及びその周囲を示す拡大縦断面図である。図４に示すように、上アタッチメント７１と下アタッチメント７２は、設置される向きが異なるもの、その断面形状が同一である。また、図２に示す縦アタッチメント７３についても、その断面形状が上アタッチメント７１と同一である。
【００５１】
上アタッチメント７１、下アタッチメント７２及び左右一対の縦アタッチメント７３は、それぞれの長手方向の長さは枠体１０（上枠１１、下枠１２及び縦枠１３）の長手方向の長さにそれぞれ対応している。一方で、上アタッチメント７１、下アタッチメント７２及び左右一対の縦アタッチメント７３は、何れも長手方向に直交する方向で切断した断面形状が同じ形状となっている。下アタッチメント７２及び縦アタッチメント７３において、上アタッチメント７１と同一の形状については同じ符号を付してその説明を省略する場合がある。
【００５２】
図４で示される下アタッチメント７２についても、スペーサ部材２６２を介して躯体２の見込面２５２に配置される。下アタッチメント７２の室外側固定部７２０がアングル部６２に嵌合固定されるとともに、室内側脚部７４０がスペーサ部材２６２とともにネジ８０により躯体２の見込面２５２に締結固定される。下アタッチメント７２がアングル部６２に固定された状態では下枠１２（樹脂下枠１２２）と連続する面（意匠）となっている。
【００５３】
縦アタッチメント７３についても同様である。図２に示すように、縦アタッチメント７３の室外側固定部７２０がアングル部６３に嵌合固定されるとともに室内側脚部７４０が躯体２の開口部３の見込面２５３にネジ８０により締結固定される。縦アタッチメント７３がアングル部６３に固定された状態では縦枠１３（樹脂縦枠１３２）と連続する面（意匠）となっている。図２に示すように、スペーサ部材を配置しなくても、縦アタッチメント７３は室外側と室内側の二カ所の固定により縦アタッチメント７３を縦枠１３及び躯体２側に確実に固定することができる。なお、図２の場合においてもスペーサ部材を配置してもよい。
【００５４】
次に、施工時における縦方向に延びる縦アタッチメント７３と、横方向に延びる上アタッチメント７１及び下アタッチメント７２の連結について説明する。なお、以下の説明では縦アタッチメント７３が上下の見込面２５１，２５２まで延びるいわゆる縦勝ちで連結される例を説明する。
【００５５】
上述のように、上アタッチメント７１、下アタッチメント７２及び左右一対の縦アタッチメント７３は、現場にて別部品として搬入される。作業者は、現場にて上アタッチメント７１、下アタッチメント７２及び左右一対の縦アタッチメント７３をタッピングネジ９０で予め矩形の枠組みに形成する。
【００５６】
上述の通り、縦アタッチメント７３の本体部７１０の背面７１２からタッピングネジ９０を下アタッチメント７２のタッピングホール７１６の位置に合わせて締結し、タッピングネジ９０が本体部７１０を貫通して下アタッチメント７２のタッピングホール７１６の内側に締結固定されることにより、下アタッチメント７２と縦アタッチメント７３が機械的に連結される。同様に上アタッチメント７１についてもタッピングネジ９０を用いて縦アタッチメント７３に機械的に連結する。この作業により、上アタッチメント７１、下アタッチメント７２及び左右一対の縦アタッチメント７３が、矩形に枠組みされた状態となる。
【００５７】
上アタッチメント７１、下アタッチメント７２及び左右の縦アタッチメント７３を矩形のフレームにしたところで、アングル部６１、アングル部６２及び左右のアングル部６３のそれぞれに嵌合固定する。本実施形態では、室外側脚部７３０及び室内側脚部７４０の長さが、開口部３の上下左右の全ての見込面２５１，２５２，２５３に接触しない長さに設定されている。これにより、同一断面形状でも場所によって室外側脚部７３０及び室内側脚部７４０が躯体２に干渉して嵌合できない事態の発生が防止されている。これによって、同一形状の断面で上アタッチメント７１、下アタッチメント７２及び左右の縦アタッチメント７３を構成することが可能になっている。
【００５８】
嵌合固定後、上アタッチメント７１、下アタッチメント７２及び左右の縦アタッチメント７３のそれぞれについてネジ８０を用いて躯体２に締結固定する。これにより、上アタッチメント７１、下アタッチメント７２及び左右の縦アタッチメント７３が枠体１０及び躯体２に固定された状態となり、この状態で室内側の内装材９を施工する。
【００５９】
なお、縦方向に延びる縦アタッチメント７３と、横方向に延びる上アタッチメント７１及び下アタッチメント７２とが縦勝ち方式で連結される例を説明したが、横勝ち方式で連結される場合も、タッピングネジ９０を連結する位置が異なる以外は同様である。
【００６０】
上記実施形態によれば、以下のような効果を奏する。
建具１は、建物１００の躯体２の開口部３に設けられる上枠１１、下枠１２及び縦枠１３と、上枠１１、下枠１２及び縦枠１３それぞれの室内側に設けられるアングル部６１，６２，６３と、アングル部６１，６２，６３それぞれの室内側に配置される上アタッチメント７１、下アタッチメント７２及び縦アタッチメント７３と、を備える。上アタッチメント７１、下アタッチメント７２及び縦アタッチメント７３は、それぞれのアングル部６１，６２，６３から室内側に延びる見込面７１１と、アングル部６１，６２，６３に固定される室外側固定部７２０と、ネジ（締結部材）８０により躯体２に締結固定される室内側脚部（室内側固定部）７４０と、をそれぞれ有する。
【００６１】
これにより、上アタッチメント７１、下アタッチメント７２及び縦アタッチメント７３により、アングル部６１，６２，６３から内装材９までの見込方向の隙間を埋めることができる。室内側脚部（室内側固定部）７４０がネジ８０により機械的に躯体２に固定されるので、見込面７１１が長くても躯体２に対する上アタッチメント７１、下アタッチメント７２及び縦アタッチメント７３の位置が安定し、内装材９の施工作業もスムーズに行うことができるとともに、躯体２固定後にも僅かな隙間が生じ難くなる。
【００６２】
また、本実施形態の建具１は、縦枠１３のアングル部６３に固定される縦方向に延びる縦アタッチメント７３と、上枠１１及び下枠１２のそれぞれのアングル部６１，６２に固定される横方向に延びる上アタッチメント７１及び下アタッチメント７２と、を備え、縦アタッチメント７３と上アタッチメント７１及び下アタッチメント７２がタッピングネジ９０により締結固定される。
【００６３】
これにより、タッピングネジ９０を用いた機械的な固定により、縦アタッチメント７３と上アタッチメント７１及び下アタッチメント７２を隙間なく連結することができ、連結状態と意匠性を向上させることができる。また、特別な装置を用いることなく、嵌合作業を容易かつスムーズに行うことができる。溶着装置等を使った溶着等で樹脂製のアタッチメントを接合する場合に比べてコストを低減でき、コスト低下と作業性向上を両立させることができる。
【００６４】
上アタッチメント７１、下アタッチメント７２及び縦アタッチメント７３は、何れも樹脂製であり、内部に中空部７１５を有する。
【００６５】
これにより、中空部７１５を有する樹脂製の上アタッチメント７１、下アタッチメント７２及び縦アタッチメント７３が枠体１０の室内側に配置されるので、より一層断熱性を向上させることができる。本実施形態では、枠体１０及び障子１５は、それぞれ、室外側がアルミ等の金属で形成され、室内側が樹脂で形成されており、複数の断熱部材により多層的な断熱が実現されている。
【００６６】
以上、本発明の好ましい実施形態について説明したが、本発明は、上述の実施形態に制限されるものではなく、適宜変更が可能である。
【００６７】
上記実施形態では、上アタッチメント７１、下アタッチメント７２及び縦アタッチメント７３（枠体延長部）の室外側固定部７２０が枠体１０に嵌合固定される構成を説明したが、室外側についてもネジ等の締結部材によってアングル部６１，６２，６３に締結固定される構成としてもよい。
【００６８】
上記実施形態では、上アタッチメント７１、下アタッチメント７２及び左右一対の縦アタッチメント７３が開口部３の四周を囲う矩形に枠組みされた状態で、アングル部６１、アングル部６２及び左右一対のアングル部６３のそれぞれに同時に嵌合する例を説明したがこの構成に限定されない。例えば、上アタッチメント７１と左右一対の縦アタッチメント７３からなる三方アタッチメント（額縁部材）にも本発明を適用できる。
【００６９】
上記実施形態では、上アタッチメント７１、下アタッチメント７２及び左右一対の縦アタッチメント７３の各アタッチメントが、同一の断面形状を有しており、部品の共通化を実現しているが、この構成に限定されない。各アタッチメントの断面形状を建具の形状や納まりに合わせて個別の形状にしてもよい。例えば、上アタッチメントと縦アタッチメントの断面形状が異なる形状としてもよい。
【００７０】
上記実施形態では、上アタッチメント７１、下アタッチメント７２及び左右一対の縦アタッチメント７３のそれぞれが額縁部７５０を備える構成を例に説明したが、この構成に限定されない。額縁部７５０を省略し、室内側に別部材（造作材）や額縁部材を別途配置する構成としてもよい。この場合、上アタッチメント７１、下アタッチメント７２及び左右一対の縦アタッチメント７３は、隙間を調整する隙間調整部材として機能し、額縁の見込面の寸法が足らない場合でも、隙間を埋めることができる。また、躯体２に強固に固定される上アタッチメント７１、下アタッチメント７２及び左右の縦アタッチメント７３を利用して額縁部材を固定することもできる。このように、本発明は、様々な建具の納まりに対応できるものである。
【００７１】
上記実施形態では、本発明が適用される建具として横辷り窓を例に説明したが、本発明は、これに限定される訳ではなく、引違い窓等、種々の建具に適用できる。
【符号の説明】
【００７２】
１  建具
１１  上枠（枠体）
１２  下枠（枠体）
１３  縦枠（枠体）
６１，６２，６３  アングル部
７１  上アタッチメント（枠体延長部材、横枠延長部材）
７２  下アタッチメント（枠体延長部材、横枠延長部材）
７３  縦アタッチメント（枠体延長部材、縦枠延長部材）
８０  ネジ（締結部材）
９０  タッピングネジ（連結用締結部材）
１００  建物
７１１  見込面
７１５  中空部
７２０  室外側固定部
７４０  室内側脚部（室内側固定部）
【図１】
2018159248.tif 000003
【図２】
2018159248.tif 000004
【図３】
2018159248.tif 000005
【図４】
2018159248.tif 000006